(57)【要約】【課題】本発明は、コネクタの端子にケーブルを直接半田付けする場合にあっても、十分な信頼性を確保して簡易にイヤホンアンテナ等を作成することができるようにする。【解決手段】本発明は、多芯同軸ケーブル３０の被覆線ＳＳを構成する線材を分配して線材群ＳＳＡ、ＳＳＢを作成し、この線材群ＳＳＡ、ＳＳの少なくとも１つＳＳＡをコネクタ３２の端子Ｔ２に半田付けすると共に、残りの線材群ＳＳＢを半田付けにより束ねる。【選択図】        図１
2010062612.tif 000002
【特許請求の範囲】
【請求項１】
本体装置と、
コネクタにより前記本体装置に接続され、前記本体装置と外部装置との間で、信号及び又は電力を伝送する中継ケーブルとを有し、
前記中継ケーブルが、
複数の芯線ケーブルと、前記複数の芯線ケーブルを被覆する網線による被覆線とを有する多芯同軸ケーブルであり、
前記複数の芯線ケーブルの少なくとも１つの芯線ケーブル及び又は前記被覆線が、前記本体装置に内蔵のチューナーのアンテナ入力端に接続され、
前記被覆線は、
前記網線の線材が所定の比率で分配されて複数の線材群が設けられ、
前記複数の線材群の少なくとも１つの線材群が束ねられて前記コネクタの対応する端子に半田付けされ、
前記複数の線材群の残りの線材群が、それぞれ半田付けにより束ねられた
受信装置。
【請求項２】
前記被覆線の前記外部装置側端が開放端とされ、
前記１つの線材群と前記芯線ケーブルの１つとが縒り合わされて接続された後、前記コネクタの対応する端子に接続されて、前記チューナーのアンテナ入力端に接続された
請求項１に記載の受信装置。
【請求項３】
前記中継ケーブルがコネクタにより着脱可能に前記外部装置に接続された
請求項１に記載の受信装置。
【請求項４】
前記外部装置が、イヤホンである
請求項１に記載の受信装置。
【請求項５】
複数の芯線ケーブルと、前記複数の芯線ケーブルを被覆する網線による被覆線とを有する多芯同軸ケーブルと、
前記多芯同軸ケーブルの一端に設けられ、前記多芯同軸ケーブルを本体装置に接続する本体装置側のコネクタと、
前記多芯同軸ケーブルの他端に設けられ、前記多芯同軸ケーブルを外部装置に接続する外部装置側のコネクタとを有し、
前記多芯同軸ケーブルにより、前記本体装置と外部装置との間で、信号及び又は電力を伝送し、
前記複数の芯線ケーブルの少なくとも１つの芯線ケーブル及び又は前記被覆線が、前記本体装置に内蔵のチューナーのアンテナ入力端に接続され、
前記被覆線は、
前記網線の線材が所定の比率で分配されて複数の線材群が設けられ、
前記複数の線材群の少なくとも１つの線材群が束ねられて前記コネクタの対応する端子に半田付けされ、
前記複数の線材群の残りの線材群が、それぞれ半田付けにより束ねられた
中継ケーブル。
【発明の詳細な説明】
【技術分野】
【０００１】
本発明は、受信装置及び中継ケーブルに関し、例えばディジタルテレビジョン放送とＦＭ放送とを受信可能な携帯型音楽プレイヤーに適用することができる。本発明は、多芯同軸ケーブルの被覆線を構成する線材を分配して線材群を作成し、この線材群の少なくとも１つをコネクタの端子に半田付けすると共に、残りの線材群を半田付けにより束ねることにより、コネクタの端子にケーブルを直接半田付けする場合にあっても、十分な信頼性を確保して簡易にイヤホンアンテナ等を作成することができるようにする。
【背景技術】
【０００２】
従来、携帯型音楽プレイヤーは、小型のフォーンプラグを介してイヤホンを接続している。携帯型音楽プレイヤーのフォーンプラグは、小型化の要求から、電極を構成する金属部材が背面側に延出して端子が作成され、この端子に直接ケーブルが接続される。
【０００３】
すなわち図１９は、イヤホンのフォーンプラグの説明に供する側面図である。フォーンプラグ１は、ジャックに差し込む部位が円柱形状に作成され、この円柱形状の部位２が先端側から順次絶縁体により区切られて３つの電極３Ａ、３Ｂ、３Ｃが作成される。なお先端の電極３Ｃには、脱落防止のくびれが設けられる。
【０００４】
フォーンプラグ１は、電極３Ａ、３Ｂ、３Ｃを形成する各金属部材が同軸状に保持される。フォーンプラグ１は、この同軸状に保持された部位が背面側に突出し、順次段階的に半径が低減する円柱形状の部位４が背面側に作成される。フォーンプラグ１は、この背面側に突出する円柱形状の部位４がケーブル５Ａ、５Ｂ、５Ｃを接続する部位に設定され、各金属部材にケーブル５Ａ、５Ｂ、５Ｃが直接半田付けされる。
【０００５】
このようなケーブルの接続に関して、実開平６−４１０８２号公報、実開平５−２０２７９号公報には、同軸ケーブルをコネクタに接続する工夫が提案されている。
【０００６】
また特開２００７−２８８２３１号公報には、多芯同軸ケーブルを用いたイヤホンアンテナの構成が提案されている。ここでイヤホンアンテナは、イヤホンのケーブルをアンテナとして機能させるアンテナであり、多芯同軸ケーブルは、複数の芯線ケーブルを被覆線で被覆したケーブルである。この特開２００７−２８８２３１号公報に開示の構成は、４ピンのフォーンプラグに多芯同軸ケーブルを接続している。
【特許文献１】実開平６−４１０８２号公報
【特許文献２】実開平５−２０２７９号公報
【特許文献３】特開２００７−２８８２３１号公報
【発明の開示】
【発明が解決しようとする課題】
【０００７】
ところで携帯型音楽プレイヤーに、放送波の受信機能を設けるようにすれば、一段と携帯型音楽プレイヤーの使い勝手を向上することができる。この場合に、特開２００７−２８８２３１号公報等に開示のイヤホンアンテナを適用すれば、携帯型音楽プレイヤーの携帯性、デザインを損なわないようにすることができる。
【０００８】
しかしながらこの場合、多芯同軸ケーブルの被覆線をフォーンプラグの端子に接続することが必要になる。この場合、直接被覆線を半田付けする場合には、微小面積の接続箇所に、被覆線を構成する多数の銅線を半田付けすることが必要になり、その結果、簡易かつ確実に被覆線を接続することが困難になる。その結果、十分な信頼性を確保して簡易にイヤホンアンテナを作成することが困難な問題があった。
【０００９】
本発明は以上の点を考慮してなされたもので、コネクタの端子にケーブルを直接半田付けする場合にあっても、十分な信頼性を確保して簡易にイヤホンアンテナ等を作成することができる受信装置及び中継ケーブルを提案しようとするものである。
【課題を解決するための手段】
【００１０】
上記の課題を解決するため請求項１の発明は、本体装置と、コネクタにより前記本体装置に接続され、前記本体装置と外部装置との間で、信号及び又は電力を伝送する中継ケーブルとを有する受信装置に適用する。ここで、前記中継ケーブルが、複数の芯線ケーブルと、前記複数の芯線ケーブルを被覆する網線による被覆線とを有する多芯同軸ケーブルであるようにする。また前記複数の芯線ケーブルの少なくとも１つの芯線ケーブル及び又は前記被覆線が、前記本体装置に内蔵のチューナーのアンテナ入力端に接続されるようにする。また前記被覆線は、前記網線の線材が所定の比率で分配されて複数の線材群が設けられ、前記複数の線材群の少なくとも１つの線材群が束ねられて前記コネクタの対応する端子に半田付けされ、前記複数の線材群の残りの線材群が、それぞれ半田付けにより束ねられる。
【００１１】
また請求項５の発明は、複数の芯線ケーブルと、前記複数の芯線ケーブルを被覆する網線による被覆線とを有する多芯同軸ケーブルと、前記多芯同軸ケーブルの一端に設けられ、前記多芯同軸ケーブルを本体装置に接続する本体装置側のコネクタと、前記多芯同軸ケーブルの他端に設けられ、前記多芯同軸ケーブルを外部装置に接続する外部装置側のコネクタとを有する中継ケーブルに適用する。ここで前記多芯同軸ケーブルにより、前記本体装置と外部装置との間で、信号及び又は電力を伝送し、前記複数の芯線ケーブルの少なくとも１つの芯線ケーブル及び又は前記被覆線が、前記本体装置に内蔵のチューナーのアンテナ入力端に接続される。前記被覆線は、前記網線の線材が所定の比率で分配されて複数の線材群が設けられ、前記複数の線材群の少なくとも１つの線材群が束ねられて前記コネクタの対応する端子に半田付けされ、前記複数の線材群の残りの線材群が、それぞれ半田付けにより束ねられる。
【００１２】
請求項１、又は請求項５の構成により、被覆線の網線の線材が所定の比率で分配された複数の線材群のうちの、少なくとも１つの線材群を束ねてコネクタの対応する端子に半田付けする場合には、分配の比率の設定により、コネクタの端子に接続する線材群の太さを所望の太さに設定することができる。これによりいわゆるひげの発生を防止して、この線材群の線材を確実に対応する端子に半田付けすることができる。また複数の線材群の残りの線材群が、それぞれ半田付けにより束ねられていることによっても、いわゆるひげの発生を防止することができる。これによりコネクタの端子にケーブルを直接半田付けする場合にあっても、十分な信頼性を確保して簡易にイヤホンアンテナ等を作成することができる。
【発明の効果】
【００１３】
本発明によれば、コネクタの端子にケーブルを直接半田付けする場合にあっても、十分な信頼性を確保して簡易にイヤホンアンテナ等を作成することができる。
【発明を実施するための最良の形態】
【００１４】
以下、適宜図面を参照しながら本発明の実施の形態を詳述する。なお説明は、以下の順序で行う。
【００１５】
１．第１の実施の形態
２．変形例
＜第１の実施の形態＞
［全体構成］
図２は、本発明の第１の実施の形態の具体的構成に係る受信システムを示す斜視図である。この受信システム１１は、中継ケーブル２２を介して、本体装置２３にイヤホン２４を接続する。
【００１６】
ここでイヤホン２４は、ケーブル２６の一端にプラグ２７が接続され、ケーブル２６の他端に右チャンネル及び左チャンネル用のスピーカ２８Ｒ及び２８Ｌが接続される。なおイヤホン２４は、右チャンネル及び左チャンネル用のスピーカ２８Ｒ及び２８Ｌからそれぞれ延長する平行２線式のケーブルが、右チャンネル及び左チャンネルのオーディオ信号でアースを共通化した３線式のフラットケーブルに接続される。これによりイヤホン２４は、右チャンネル及び左チャンネル用のスピーカ２８Ｒ及び２８Ｌから延長するケーブルが一本に束ねられた後、プラグ２７に接続される。
【００１７】
中継ケーブル２２は、ケーブル３０の一端に、イヤホン２４のプラグ２７を接続するジャック３１が設けられ、ケーブル３０の他端に、プラグ３２が設けられる。この実施の形態では、このプラグ３２に５ピンのフォーンプラグが適用される。
【００１８】
ここで図３に示すように、ケーブル３０は、多芯同軸ケーブルである。ケーブル３０は、複数の芯線ケーブルＬＬ、ＬＲ、ＬＧ、ＬＭＬ、ＬＭＲ、ＬＮを縒り合わせた後、ポリエチレンによる絶縁層３５、被覆線ＳＳ、エラストマーによる外皮３６で順次被覆して作成される。なお被覆線ＳＳは、銅の網線により構成される。また芯線ケーブルＬＬ、ＬＲ、ＬＧ、ＬＭＬ、ＬＭＲ、ＬＮは、それぞれポリウレタン線の縒り線により構成される。
【００１９】
本体装置２３は（図２）、ディジタルテレビジョン放送及びＦＭ放送の受信機能、マイクで取得した音声信号の録音機能を有する携帯型の音楽プレイヤーである。本体装置２３は、中継ケーブル２２のプラグ３２を接続するジャック３３が底面に設けられる。
【００２０】
図４は、図２の受信システム１１を詳細に示す接続図である。中継ケーブル２２は、芯線ケーブルＬＬ、ＬＲ、ＬＧがそれぞれ左チャンネルオーディオ信号ＳＡＬのホット側、右チャンネルオーディオ信号ＳＡＲのホット側、左チャンネルオーディオ信号ＳＡＬ及び右チャンネルオーディオ信号ＳＡＲに共通のアースに割り当てられる。また芯線ケーブルＬＭＬ、ＬＭＲがマイクで取得した左チャンネル及び右チャンネルの音声信号ＳＭＬ及びＳＭＲに割り当てられる。なおアースの芯線ケーブルＬＧは、この音声信号ＳＭＬ及びＳＭＲのアースも兼用する。
【００２１】
中継ケーブル２２は、これら芯線ケーブルＬＬ、ＬＧ、ＬＲ、ＬＭＬ、ＬＭＲのイヤホン側端がジャック３１の対応する端子に接続される。なお中継ケーブル２２は、ジャック３１にイヤホン２４を接続した場合、破線で示すように、音声信号ＳＭＬ及びＳＭＲに割り当てられた芯線ケーブルＬＭＬ、ＬＭＲが接地され、芯線ケーブルＬＬ、ＬＧ、ＬＲがイヤホン２４の対応するケーブルに接続される。またマイクロフォンを有するイヤホンが接続された場合に、芯線ケーブルＬＬ、ＬＧ、ＬＲ、ＬＭＬ、ＬＭＲがそれぞれイヤホンの対応するケーブルに接続される。
【００２２】
また中継ケーブル２２は、これら芯線ケーブルＬＬ、ＬＧ、ＬＲ、ＬＭＬ、ＬＭＲの本体装置側端が、プラグ３２の対応する端子Ｔ１〜Ｔ５に接続される。なお中継ケーブル２２は、芯線ケーブルＬＮについては、イヤホン２４側端及び本体装置２３側端が、何れの部位にも接続されない開放端とされる。
【００２３】
また中継ケーブル２２は、被覆線ＳＳのイヤホン側端が、何れの部位にも接続されていない開放端とされる。また被覆線ＳＳの本体装置側端が、アースに割り当てられた芯線ケーブルＬＧと接続される。中継ケーブル２２は、ディジタルテレビジョン放送帯域の中心周波数に対して、約１／４波長の長さに設定される。またこの長さの設定により、プラグ３２からスピーカ８Ｌまでの長さがＦＭ放送の中心周波数に対して約１／４波長の長さに設定される。
【００２４】
ここでプラグ３２は、ジャック３３に差し込む部位が円柱形状に作成され、この円柱形状の部位が先端側から順次絶縁体により区切られて５つの電極Ｅ１〜Ｅ５が作成される。なお先端の電極Ｅ５には、脱落防止のくびれが設けられる。
【００２５】
プラグ３２は、電極Ｅ１〜Ｅ５を形成する各金属部材が同軸状に保持される。プラグ３２は、この同軸状に保持された部位が背面側に突出し、順次段階的に半径が低減する円柱形状の部位が背面側に作成される。プラグ３２は、この背面側に突出する円柱形状の部位がケーブルを接続する端子Ｔ１〜Ｔ５に設定され、この端子Ｔ１〜Ｔ５に芯線ケーブルＬＬ、ＬＧ、ＬＲ、ＬＭＬ、ＬＭＲ、被覆線ＳＳが接続される。
【００２６】
本体装置２３は、ディジタルテレビジョン放送及びＦＭ放送を受信するチューナー４１を有し、プラグ３２、ジャック３３、コンデンサ４２を順次介して、このチューナー４１のアンテナ入力端に、芯線ケーブルＬＧが接続される。これにより本体装置２３は、被覆線ＳＳをモノポールアンテナとして機能させて、ディジタルテレビジョン放送をチューナー４１で受信する。また中継ケーブル２２及びイヤホン２４のケーブル２６をモノポールアンテナとして機能させて、ＦＭ放送をチューナー４１で受信する。
【００２７】
また本体装置２３は、コンデンサ４２のジャック３３側端が、高周波を遮断する高周波遮断回路４３で接地される。なおここで高周波遮断回路４３は、例えばフェライトビーズにより構成される。本体装置２３は、チューナー４１から出力されるオーディオ信号、記録媒体から再生されるオーディオ信号ＳＡＲ及びＳＡＬがそれぞれ増幅回路４４Ｒ及び４４Ｌで増幅される。本体装置２３は、この増幅回路４４Ｒ及び４４Ｌの出力信号がそれぞれ高周波遮断回路４５Ｒ、４５Ｌを介してジャック３３に出力され、このジャック３３を介して芯線ケーブルＬＲ、ＬＧに出力される。これにより本体装置２３は、オーディオ信号ＳＡＲ及びＳＡＬでスピーカ２８Ｒ及び２８Ｌを駆動する。
【００２８】
また本体装置２３は、プラグ３２、ジャック３３を順次介して、芯線ケーブルＬＭＲ、ＬＭＬがそれぞれ高周波遮断回路４６Ｒ、４６Ｌの一端に接続され、高周波遮断回路４６Ｒ、４６Ｌの他端がそれぞれ増幅回路４７Ｒ、４７Ｌに接続される。本体装置２３は、この増幅回路４７Ｒ、４７Ｌの出力信号が図示しない記録系に出力され、ジャック３１にマイクを接続した場合に、このマイクで取得した音声信号を所定の記録媒体に記録する。なお高周波遮断回路４５Ｒ、４５Ｌ、４６Ｒ、４６Ｌは、例えばフェライトビーズにより構成される。なおこれら高周波遮断回路４５Ｒ、４５Ｌ、４６Ｒ、４６Ｌのジャック３３側端をコンデサで高周波的に接地してもよい。
【００２９】
［多芯同軸ケーブルの接続］
図１は、中継ケーブル２２のプラグ３２側端の構成を示す図である。中継ケーブル２２において、アースに割り当てられた芯線ケーブルＬＧ以外の芯線ケーブルＬＬ、ＬＲ、ＬＭＬ、ＬＭＲは、直接、プラグ３２の対応する端子Ｔ１、Ｔ３〜Ｔ５に半田付けされて接続される。これに対して被覆線ＳＳは、所定の比率で分配され、被覆線ＳＳの網線を構成する線材により第１及び第２の線材群ＳＳＡ、ＳＳＢが作成される。被覆線ＳＳが、これら第１及び第２の線材群ＳＳＡ及びＳＳＢのうちの、第１の線材群ＳＳＢは、アースに割り当てられた芯線ケーブルＬＧと共にプラグ３２の対応する端子Ｔ２に接続される。
【００３０】
すなわち図５（Ａ）に示すように、中継ケーブル２２は、始めにプラグ３２側端の外皮３６が一定の範囲で取り除かれる。続いて中継ケーブル２２は、図５（Ｂ）に示すように、被覆線ＳＳがほぐされ、被覆線を構成する線材が一定の比率で分配される。これにより中継ケーブル２２は、十分な作業性、信頼性を確保して対応する端子Ｔ１に半田付け可能な太さによる第１の線材群ＳＳＡと、残りの銅線による第２の線材群ＳＳＢとに、被覆線ＳＳを構成する銅線が分配される。この実施の形態では、この比率が２：１に設定される。従って中継ケーブル２２は、被覆線ＳＳを構成する銅線のうちの、１／３の銅線による第１の線材群ＳＳＡと、残り２／３の銅線による第２の線材群ＳＳＢとに分配される。中継ケーブル２２は、この第２の線材群ＳＳＢの銅線が縒り合された後、この縒り合された部位の根元近傍まで全体が半田付けされる。その後、図５（Ｃ）に示すように、この第２の線材群ＳＳＢが根元近傍で切断される。
【００３１】
その後、中継ケーブル２２は、プラグ３２側端の絶縁層３５が除去される。中継ケーブル２２は、続いて図６（Ａ）に示すように、何れの部位にも接続されない芯線ケーブルＬＮが根元部分で切断される。続いて図６（Ｂ）に示すように、第１の線材群ＳＳＡと、アースに割り当てられた芯線ケーブルＬＧとが縒り合された後、溶融半田へのディッピングにより先端が半田メッキされ、線材群ＳＳＢと芯線ケーブルＬＧとが接続される。また同時に、他の芯線ケーブルＬＬ、ＬＲ、ＬＭＲ、ＬＭＬ、ＬＮがそれぞれ所定の長さに切断され、それぞれ先端が半田メッキされる。
【００３２】
中継ケーブル２２は、続いて図６（Ｃ）に示すように、第１の線材群ＳＳＡが熱収縮型の絶縁チューブ５０に挿通されて絶縁された後、さらにこの第１の線材群ＳＳＡの根元部分を外皮３６、芯線ケーブルＬＬ〜ＬＭＲと共に熱収縮型の絶縁チューブ５１で覆って絶縁される。中継ケーブル２２は、その後、第１の線材群ＳＳＡ、芯線ケーブルＬＬ〜ＬＭＲが対応する端子Ｔ１〜Ｔ５に半田付けされた後、このプラグ３２側端が樹脂により被覆されて作成される。
【００３３】
〔実施の形態の動作〕
以上の構成において、この受信システム１１（図２及び図４）では、ユーザーの操作に応動してチューナー４１が動作を立ち上げ、ディジタルテレビジョン放送又はＦＭ放送のオーディオ信号ＳＡＬ及びＳＡＲが取得される。また図示しない再生系により記録媒体に記録されたオーディオ信号ＳＡＬ及びＳＡＲが再生される受信システム１１では、このオーディオ信号ＳＡＬ及びＳＡＲが増幅回路４４Ｌ、４４Ｒで増幅された後、ジャック３３、プラグ３２、中継ケーブル２２の芯線ケーブルＬＬ、ＬＲ、ＬＧを順次介してイヤホン２４のケーブル２６に供給され、このオーディオ信号ＳＡＬ及びＳＡＲによりイヤホン２４のスピーカ２８Ｌ及び２８Ｒが駆動される。受信システム１１では、これにより中継ケーブル２２を介してイヤホン２４にオーディオ信号ＳＡＬ、ＳＡＲが伝送されてユーザーに提供される。
【００３４】
受信システム１１では、このようにして中継ケーブル２２を介してイヤホン２４にオーディオ信号ＳＡＬ、ＳＡＲを伝送している状態で、中継ケーブル２２のケーブル３０、イヤホン２４のケーブル２６に各種の高周波信号が誘起される。
【００３５】
受信システム１１では、中継ケーブル２２の被覆線ＳＳがＵＨＦ帯域のモノポールアンテナとして機能し、ディジタルテレビジョン放送を受信する場合には、被覆線ＳＳに誘起された高周波信号がプラグ３２、ジャック３３を順次介してチューナー４１に入力される。またＦＭ放送帯域では、中継ケーブル２２のケーブル３０とイヤホン２４のケーブル２６とがモノポールアンテナとして機能し、これらケーブル３０及び２６に誘起された高周波信号が、プラグ３２、ジャック３３を順次介してチューナー４１に入力される。
【００３６】
これによりこの受信システム１１では、イヤホンアンテナにより放送波を受信することができ、携帯型音楽プレイヤーである本体装置２３の携帯性、デザインの劣化を有効に回避して所望の放送波を受信することができる。
【００３７】
しかしながらこのようにして中継ケーブル２２に多芯同軸ケーブルを使用してイヤホンアンテナを構成する場合には、被覆線ＳＳをプラグ３２の端子に接続することが必要になる。この場合に、携帯性、デザインの劣化を防止する観点から、プラグ３２は、小型のものが求められる。その結果、プラグ３２は、形状が小型であって、かつジャック３３との接続用電極Ｅ１〜Ｅ５を構成する金属部材に直接ケーブルを半田付けする形式が採用される。その結果、何ら対策を講じない場合には、中継ケーブル２２を構成するケーブル３０の被覆線ＳＳをプラグ３２に簡易かつ確実に接続することが困難になる。その結果、十分な信頼性を確保して簡易にイヤホンアンテナを作成することが困難になる。
【００３８】
すなわち図１との対比により図７に示すように、単純に、被覆線ＳＳを構成する銅線を縒り合わせて対応する端子Ｔ２に半田付けする場合、この縒り合わせた部位Ａの太さが太くなり、端子Ｔ２に半田付けすることが困難になる。またこの場合は、この部位Ａから銅線がひげ状に飛び出して他の部位との間で短絡事故が発生する恐れもある。
【００３９】
これに対して図８に示すように、ジャンパ線Ｊ１を用いて被覆線ＳＳを対応する端子Ｔ２に接続する方法も考えられる。しかしながらこの方法では、被覆線ＳＳを構成する銅線が他の部位に接触しないように、別途、被覆線ＳＳの端部を半田付け処理等により処理することが必要になり、作業が複雑になる。
【００４０】
そこでこの実施の形態では（図５、図６）、被覆線ＳＳを構成する銅線が所定の比率で分配され、第１及び第２の線材群ＳＳＡ及びＳＳＢが設けられる。またこれら第１及び第２の線材群ＳＳＡ及びＳＳＢのうちの、第１の線材群ＳＳＡが、縒り合わされて束ねられた後、プラグ３２の対応する端子Ｔ２に接続される。この場合、この分配の比率の選定により第１の線材群ＳＳＡの太さを、十分な作業性、信頼性を確保して対応する端子Ｔ１に確実に半田付け可能な太さに設定することができる。
【００４１】
これによりこの実施の形態では、この第１の線材群ＳＳＡの部分では、いわゆるひげの発生を防止して、この線材群ＳＳＡの線材を確実に対応する端子Ｔ２に半田付けすることができる。これによりこの実施の形態では、コネクタの端子にケーブルを直接半田付けする場合にあっても、十分な信頼性を確保して簡易にイヤホンアンテナを作成することができる。
【００４２】
また残りの第２の線材群ＳＳＢは、半田付けにより束ねられ、これによりこの第２の線材群ＳＳＢの部分でもいわゆるひげの発生を防止することができる。これによってもこの実施の形態では、コネクタの端子にケーブルを直接半田付けする場合にあっても、十分な信頼性を確保して簡易にイヤホンアンテナを作成することができる。
【００４３】
またこの第２の線材群ＳＳＢは、根元部分で切断され、これにより形状の大型化が回避される。
【００４４】
またさらに第１の線材群ＳＳＡにあっては、アースの芯線ケーブルＬＧと共に縒り合わされて束ねられた後、端子Ｔ２に接続される。これによりこの実施の形態では、端子Ｔ２への被覆線ＳＳ及び芯線ケーブルＬＧの半田付け作業を簡略化することができる。
【００４５】
またこのように被覆線ＳＳ及び芯線ケーブルＬＧを接続するようにして、被覆線のイヤホン側端が開放端とされていることにより、ＵＨＦ帯域では被覆線をモノポールアンテナとして機能させ、ＦＭ放送帯域ではイヤホン２４のケーブル２６及び中継ケーブル２２をモノポールアンテナとして機能させることができる。
【００４６】
ところでこのように網線を構成する銅線の一部のみを対応する端子Ｔ２に半田付けにより接続する場合、アンテナとしての機能が低下する恐れがある。図９〜図１７は、端子Ｔ２に半田付けする線材の数による特性の変化を測定した結果を示す図である。図９〜図１２は、被覆線ＳＳを構成する線材を５本だけ端子Ｔ２に接続した場合の測定結果であり、符号ＬＨ及びＬＶはそれぞれ水平偏波及び垂直偏波の測定結果である。また図１０及び図１１は、図９の測定結果の詳細を示す図表である。また図１２〜図１４は、図９〜図１１の対比によりこの実施の形態による測定結果である。また図１５〜図１７は、図９〜図１１の対比により線材の全てを接続した場合の測定結果である。図１８は、これら図９〜図１７の測定結果の対比を示す図である。なおこの図１８において、符号Ｌ１、Ｌ２、Ｌ３は、それぞれ線材を５本だけ端子Ｔ２に接続した場合の測定結果、実施の形態による測定結果、線材の全てを接続した場合の測定結果である。これらの測定結果によれば、分配の比率を可変しても、特性に大きな差異が無いことを確認することができた。
【００４７】
〔実施の形態の効果〕
以上の構成によれば、多芯同軸ケーブルの被覆線を構成する線材を分配して線材群を作成し、この線材群の少なくとも１つをコネクタの端子に半田付けすると共に、残りの線材群を半田付けにより束ねることにより、コネクタの端子にケーブルを直接半田付けする場合にあっても、十分な信頼性を確保して簡易にイヤホンアンテナを作成することができるようにする。
【００４８】
またこの被覆線の外部装置側端を開放端とし、１つの線材群と芯線ケーブルの１つとを縒り合わせて接続した後、コネクタの対応する端子に接続することにより、ＵＨＦ帯域では被覆線をモノポールアンテナとして機能させ、ＦＭ放送帯域ではイヤホンのケーブル及び中継ケーブルをモノポールアンテナとして機能させることができ、さらに被覆線及び芯線ケーブルの半田付け作業を簡略化することができる。
＜変形例＞
なお上述の実施の形態においては、被覆線の網線を構成する線材を、第１及び第２の線材群に分配してコネクタに接続する場合について述べたが、本発明はこれに限らず、３つ以上の線材群に分配するようにしてもよい。なおこの場合、３つ以上の線材群のうちの複数の線材群を直接端子に半田付けるようにしてもよい。
【００４９】
また上述の実施の形態においては、アースに割り当てた芯線ケーブルに被覆線の本体装置側端を接続する場合について述べた。しかしながら本発明はこれに限らず、被覆線の本体装置側端を他の芯線ケーブルに接続するようにしてもよく、さらには複数の芯線ケーブルに被覆線の本体装置側端を接続するようにしてもよい。なお複数の芯線ケーブルに被覆線の本体装置側端を接続する場合には、小容量のコンデンサを介して芯線ケーブルと被覆線とを接続し、又は複数の芯線ケーブル間を接続し、これにより芯線ケーブルに割り当てた信号の伝送に支障を与えないようにし、かつ本体装置の受信周波数帯域で、複数の芯線ケーブルと被覆線の本体装置側端とを十分に低いインピーダンスにより接続することが必要になる。
【００５０】
また上述の実施の形態においては、中継ケーブルの一端にフォーンプラグを配置する場合について述べたが、本発明はこれに限らず、要は、端子に直接半田付けする構造の各種コネクタを配置する場合に広く適用することができる。
【００５１】
また上述の実施の形態においては、被覆線と、イヤホンのケーブル及び中継ケーブルをそれぞれＵＨＦ帯域、ＦＭ帯域のモノポールアンテナとして機能させる場合について述べた。しかしながら本発明はこれに限らず、例えば被覆線のみアンテナとして機能させる場合、イヤホンのケーブルのみアンテナとして機能させ、中継ケーブルの多芯同軸ケーブルを同軸伝送路として機能させる場合等に広く適用することができる。なお中継ケーブルを同軸伝送路としてのみ機能させる場合には、被覆線を高周波的に接地し、芯線ケーブルをチューナーのアンテナ入力端に接続することになる。
【００５２】
また上述の実施の形態においては、ディジタルテレビジョン放送波及びＦＭ放送波を受信する場合について述べたが、本発明はこれに限らず、各種の放送波を受信する場合に広く適用することができる。
【００５３】
また上述の実施の形態においては、コネクタを使用して着脱可能にイヤホンを接続する場合について述べたが、本発明はこれに限らず、いわゆる作り付けにより着脱困難にイヤホンを接続する場合にも広く適用することができる。
【００５４】
また上述の実施の形態においては、オーディオ信号を伝送するケーブルをアンテナとして機能させる場合について述べた。しかしながら本発明はこれに限らず、オーディオ信号以外の各種アナログ信号、ディジタル信号を伝送するケーブル、さらには電力を伝送するケーブルをアンテナとして機能させるようにしてもよい。
【００５５】
また上述の実施の形態においては、本発明を携帯音楽プレイヤーによる受信システムに適用する場合について述べたが、本発明はこれに限らず、放送波の受信機能を備えた携帯電話等、種々の受信装置に広く適用することができる。
【産業上の利用可能性】
【００５６】
本発明は、例えばディジタルテレビジョン放送とＦＭ放送とを受信可能な携帯型音楽プレイヤーに適用することができる。
【図面の簡単な説明】
【００５７】
【図１】本発明の第１の実施の形態の受信システムに係る中継ケーブルの説明に供する側面図である。
【図２】本発明の第１の実施の形態の受信システムを示す斜視図である。
【図３】図２の受信システムに係る中継ケーブルに適用されるケーブルを示す図である。
【図４】図２の受信システムを示す接続図である。
【図５】図１のケーブルの処理に説明に供する側面図である。
【図６】図５の続きの説明に供する側面図である。
【図７】従来の接続手法による接続の説明に供する側面図である。
【図８】ジャンパ線を用いて接続する場合の説明に供する側面図である。
【図９】半田付けする線材の数を減少させた場合の特性を示す特性曲線図である。
【図１０】図９の測定結果のうちの垂直偏波の測定結果を示す図表である。
【図１１】図９の測定結果のうちの水平偏波の測定結果を示す図表である。
【図１２】図１の受信システムの特性を示す特性曲線図である。
【図１３】図１２の測定結果のうちの垂直偏波の測定結果を示す図表である。
【図１４】図１２の測定結果のうちの水平偏波の測定結果を示す図表である。
【図１５】すべての線材を接続した場合の特性を示す特性曲線図である。
【図１６】図１５の測定結果のうちの垂直偏波の測定結果を示す図表である。
【図１７】図１５の測定結果のうちの水平偏波の測定結果を示す図表である。
【図１８】図９〜図１７の測定結果のまとめた図である。
【図１９】従来のフォーンプラグの説明に供する側面図である。
【符号の説明】
【００５８】
１、２７、３２……プラグ、１１……受信システム、２２……中継ケーブル、２３……本体装置２３……イヤホン、２６、３０……ケーブル、３１、３３……ジャック、Ｅ１〜Ｅ５……電極、ＬＧ、ＬＬ、ＬＲ、ＬＭＬ、ＬＭＲ、ＬＮ……芯線ケーブル、ＳＳ……被覆線、Ｔ１〜Ｔ５……端子
【図１】
2010062612.tif 000003
【図２】
2010062612.tif 000004
【図３】
2010062612.tif 000005
【図４】
2010062612.tif 000006
【図５】
2010062612.tif 000007
【図６】
2010062612.tif 000008
【図７】
2010062612.tif 000009
【図８】
2010062612.tif 000010
【図９】
2010062612.tif 000011
【図１０】
2010062612.tif 000012
【図１１】
2010062612.tif 000013
【図１２】
2010062612.tif 000014
【図１３】
2010062612.tif 000015
【図１４】
2010062612.tif 000016
【図１５】
2010062612.tif 000017
【図１６】
2010062612.tif 000018
【図１７】
2010062612.tif 000019
【図１８】
2010062612.tif 000020
【図１９】
2010062612.tif 000021